(57)【要約】【課題】出席者から受け取る金品の額と返礼品の額とのギャップを低減することを可能とする情報処理装置、方法、及びプログラムを提供する。【解決手段】情報処理装置に、他の情報処理装置から、イベントを識別するためのイベント識別情報、ユーザを識別するためのユーザ識別情報、及びユーザにより入力された金額情報それぞれを同時又は異なるタイミングで受信するステップと、ユーザ識別情報及びイベント識別情報の受信に応答して、金額情報に基づいて物品情報を選択するステップと、ユーザ識別情報に対応付けられた他の情報処理装置に、選択された物品情報を送信するステップと、を実行させるプログラム。【選択図】図７
2020113173.tif 000002
【特許請求の範囲】
【請求項１】
情報処理装置に、
他の情報処理装置から、イベントを識別するためのイベント識別情報、ユーザを識別するためのユーザ識別情報、及び前記ユーザにより入力された金額情報それぞれを同時又は異なるタイミングで受信するステップと、
前記ユーザ識別情報及び前記イベント識別情報の受信に応答して、前記金額情報に基づいて物品情報を選択するステップと、
前記ユーザ識別情報に対応付けられた他の情報処理装置に、選択された前記物品情報を送信するステップと、
を実行させるプログラム。
【請求項２】
前記情報処理装置に、前記イベント識別情報に関連付けられた出席者リストを、前記ユーザ識別情報に基づいて更新するステップを、更に実行させる請求項１に記載のプログラム。
【請求項３】
前記情報処理装置に、前記ユーザ識別情報に対応付けられた他の情報処理装置に、金額リコメンド情報を送信するステップ、を更に実行させる、請求項１又は２に記載のプログラム。
【請求項４】
前記金額リコメンド情報は、前記ユーザ識別情報に関連付けられたユーザの属性情報に基づく、請求項３に記載のプログラム。
【請求項５】
前記情報処理装置に、
前記ユーザ識別情報に対応づけられた他の情報処理装置から、ユーザが選択した前記物品情報に係る物品の出品指示を受信するステップと、
前記物品の出品処理を実行するステップと、
を更に実行させる、請求項１から４のいずれか一項に記載のプログラム。
【請求項６】
前記情報処理装置に、
前記ユーザ識別情報に対応づけられた他の情報処理装置から、ユーザが選択した前記物品情報に係る物品の配送指示を受信するステップと、
前記物品の配送を実行させるための処理を実行するステップと、
を更に実行させる、請求項１から５のいずれか一項に記載のプログラム。
【請求項７】
前記イベント識別情報は、読取手段が所定のイベントコードを読み取ることにより取得される、請求項１から６のいずれか一項に記載のプログラム。
【請求項８】
前記ユーザ識別情報は、読取手段が所定のユーザコードを読み取ることにより取得される、請求項１から７のいずれか一項に記載のプログラム。
【請求項９】
他の情報処理装置から、イベントを識別するためのイベント識別情報、ユーザを識別するためのユーザ識別情報、及び前記ユーザにより入力された金額情報それぞれを同時又は異なるタイミングで受信する受信部と、
前記ユーザ識別情報及び前記イベント識別情報の受信に応答して、前記金額情報に基づいて物品情報を選択する選択部と、
前記ユーザ識別情報に対応付けられた他の情報処理装置に、選択された前記物品情報を送信する送信部と、
を備える情報処理装置。
【請求項１０】
情報処理装置に、
イベントに対してユーザから支払われる金額情報の入力を受け付けるステップと、
他の情報処理装置に、前記金額情報を送信するステップと、
前記他の情報処理装置から、前記金額情報に基づいて選択された物品情報を受信するステップと、
前記受信した物品情報を表示制御するステップと、
を実行させる情報処理方法。
【請求項１１】
第１情報処理装置に、
イベントに対してユーザから支払われる金額情報の入力を受け付けるステップと、
前記金額情報に対応付けられたコードを発行するステップと、
前記コードを読み取った第３情報処理装置を介して前記金額情報を取得した第２情報処理装置から、前記金額情報に基づいて選択された物品情報を受信するステップと、
前記受信した物品情報を表示制御するステップと、
を実行させる情報処理方法。
【発明の詳細な説明】
【技術分野】
【０００１】
本発明は、情報処理装置、情報処理方法、及びプログラムに関する。
【背景技術】
【０００２】
冠婚葬祭等の多くのイベントにおいては、出席者は受付時等に主催者に対してご祝儀等の金品を贈る慣習がある。例えば、特許文献１には、結婚式等を行う運営者の口座に振込先を固定しておき、式典の主催者に合わせて作成された初期画面を表示してその式典への参会者に対し、お祝い金や香典の振込を促す自動取引装置が開示されている。これにより、式典の受付時等における金品の記録や管理の業務が簡素化される。
【先行技術文献】
【特許文献】
【０００３】
【特許文献１】特開２０１０−２７７５２３号公報
【発明の概要】
【発明が解決しようとする課題】
【０００４】
ところで、上述のようなイベントの主催者は、受領した金品へのお返しとして引出物等の返礼品を出席者に贈る慣習がある。このような返礼品の準備に当たっては、予め出席者の年齢や職業等を考慮し、当該出席者から受け取る金品の大凡の額を見積もった上で、その額に見合った額の返礼品を出席者毎に事前に用意する場合が多い。しかしながら、出席者から実際に受け取った金品の額が見積額と相違する場合もあり、主催者が用意した返礼品と出席者から受け取った金品とのギャップが生じてしまうことがあった。
【０００５】
そこで、本発明は、出席者から受け取る金品の額と返礼品の額とのギャップを低減することを可能とする情報処理装置、方法、及びプログラムを提供することを目的とする。
【課題を解決するための手段】
【０００６】
本発明の一態様に係るプログラムは、情報処理装置に、他の情報処理装置から、イベントを識別するためのイベント識別情報、ユーザを識別するためのユーザ識別情報、及び前記ユーザにより入力された金額情報それぞれを同時又は異なるタイミングで受信するステップと、前記ユーザ識別情報及び前記イベント識別情報の受信に応答して、前記金額情報に基づいて物品情報を選択するステップと、前記ユーザ識別情報に対応付けられた他の情報処理装置に、選択された前記物品情報を送信するステップと、を実行させる。
【発明の効果】
【０００７】
本発明によれば、出席者から受け取る金品の額と返礼品の額とのギャップを低減することを可能とする情報処理装置、方法、及びプログラムを提供することができる。
【図面の簡単な説明】
【０００８】
【図１】第１実施形態に係る情報処理システム１の構成の一例を示す図である。
【図２】第１実施形態に係る情報処理システム１に含まれるサーバ１０及びユーザ端末２０のＨＷ構成の一例を示す図である。
【図３】第１実施形態に係るサーバ１０の機能構成の一例を示すブロック図である。
【図４】出席者リストの一例を示す図である。
【図５】物品ＤＢの一例を示す図である。
【図６】第１実施形態に係るユーザ端末２０の機能構成の一例を示すブロック図である。
【図７】第１実施形態に係る情報処理システム１が行う動作処理手順のシーケンスの一例を示す図である。
【図８】ご祝儀金額入力画面３００Ａの一例を示す図である。
【図９】引出物選択画面３００Ｂの一例を示す図である。
【図１０】第２実施形態に係る情報処理システム２の構成の一例を示す図である。
【図１１】第２実施形態に係るユーザ端末２０の機能構成の一例を示すブロック図である。
【図１２】第２実施形態に係る情報処理システム１が行う動作処理手順のシーケンスの一例を示す図である。
【図１３】第２実施形態の変形例に係る情報処理システム１が行う動作処理手順のシーケンスの一例を示す図である。
【発明を実施するための形態】
【０００９】
添付図面を参照して、本発明の好適な実施形態について説明する。（なお、各図において、同一の符号を付したものは、同一又は同様の構成を有する。）
【００１０】
［第１実施形態］
（１）システム構成
図１は、本発明の第１実施形態に係る情報処理システム１の構成の一例を示す図である。図１に示すとおり、情報処理システム１は、サーバ１０と、複数のユーザ端末２０とを含む。サーバ１０と、複数のユーザ端末２０とは、ネットワークＮを介して通信プロトコルにＴＣＰ／ＩＰ等を用いて相互にデータの送受信が可能になっている。ネットワークＮは、例えば、インターネット、専用通信回線（例えば、ＣＡＴＶ（Community Antenna Television）回線）、移動体通信網（基地局等を含む）、及びゲートウェイ等により構築されている。
【００１１】
サーバ１０は、ネットワークＮを介してユーザが利用するユーザ端末２０に、所定のサービスを提供する。サーバ１０は、例えば、所定のサービスとして、結婚式等のイベントにおける出席者の情報管理サービスを提供する。当該情報管理サービスには、例えば、ユーザ端末２０を利用する各出席者が贈呈するご祝儀等の金品の金額情報の管理や、各出席者に対して提供等される返礼品の管理が含まれてもよい。なお、サーバ１０が提供する所定のサービスは、限定でなく例として、決済サービス、電子商取引サービス、インスタントメッセンジャーを代表とするSNS（Social Networking Service）、楽曲・動画・書籍などのコンテンツ提供サービス、決済サービス、クーポン提供サービス等を含んでもよい。ユーザがユーザ端末２０を介して所定のサービスを利用することで、サーバ１０は１以上のユーザ端末２０に所定のサービスを提供することができる。
【００１２】
ユーザ端末２０は、サーバ１０が提供する所定のサービスを利用するユーザの端末装置である。ユーザ端末２０として、例えばパーソナルコンピュータ、ＰＤＡ（Personal Digital Assistant）、スマートフォン等の携帯情報端末、携帯電話機、ゲーム機等が用いられる。ユーザ端末２０には、サーバ１０が提供する所定のサービスを利用するためのアプリケーションプログラム（アプリ）が記憶される。当該アプリは、サーバ１０が提供する所定のサービスにおいてユーザが各種操作を行うための処理をユーザ端末２０に実行させる。当該アプリを実行することにより、ユーザ端末２０はサーバ１０にアクセスして情報を送受信する。
【００１３】
（２）ハードウェア（ＨＷ）構成
図２は、第１実施形態に係る情報処理システム１に含まれるサーバ１０及びユーザ端末２０のＨＷ構成の一例を示す図である。以下では、サーバ１０及びユーザ端末２０を区別せず情報処理装置１００と称する。
【００１４】
情報処理装置１００は、プロセッサ１０１と、メモリ１０２と、ストレージ１０３と、入出力インタフェース（入出力Ｉ／Ｆ）１０４と、通信インタフェース（通信Ｉ／Ｆ）１０５とを含む。情報処理装置１００のＨＷの各構成要素は、限定でなく例として、バスＢを介して相互に接続される。
【００１５】
情報処理装置１００は、プロセッサ１０１と、メモリ１０２と、ストレージ１０３と、入出力Ｉ／Ｆ１０４と、通信Ｉ／Ｆ１０５との協働により、本開示に記載される機能、および／または、方法を実現する。
【００１６】
プロセッサ１０１は、ストレージ１０３に記憶されるプログラムに含まれるコードまたは命令によって実現する機能、および／または、方法を実行する。プロセッサ１０１は、限定でなく例として、中央処理装置（ＣＰＵ）、ＭＰＵ（Micro Processing Unit）、ＧＰＵ（Graphics Processing Unit）、マイクロプロセッサ（microprocessor）、プロセッサコア（processor core）、マルチプロセッサ（multiprocessor）、ＡＳＩＣ（Application-Specific Integrated Circuit）、ＦＰＧＡ（Field Programmable Gate Array）等を含み、集積回路（ＩＣ（Integrated Circuit）チップ、ＬＳＩ（Large Scale Integration））等に形成された論理回路（ハードウェア）や専用回路によって各実施形態に開示される各処理を実現してもよい。また、これらの回路は、１または複数の集積回路により実現されてよく、各実施形態に示す複数の処理を１つの集積回路により実現されることとしてもよい。また、ＬＳＩは、集積度の違いにより、ＶＬＳＩ、スーパーＬＳＩ、ウルトラＬＳＩなどと呼称されることもある。
【００１７】
メモリ１０２は、ストレージ１０３からロードしたプログラムを一時的に記憶し、プロセッサ１０１に対して作業領域を提供する。メモリ１０２には、プロセッサ１０１がプログラムを実行している間に生成される各種データも一時的に格納される。メモリ１０２は、限定でなく例として、ＲＡＭ（Random Access Memory）、ＲＯＭ（Read Only Memory）などを含む。
【００１８】
ストレージ１０３は、プログラムを記憶する。ストレージ１０３は、限定でなく例として、ＨＤＤ（Hard Disk Drive）、ＳＳＤ（SolID State Drive）、フラッシュメモリなどを含む。
【００１９】
通信Ｉ／Ｆ１０５は、ネットワークＮを介して各種データの送受信を行う。当該通信は、有線、無線のいずれで実行されてもよく、互いの通信が実行できるのであれば、どのような通信プロトコルを用いてもよい。通信Ｉ／Ｆ１０５は、ネットワークＮを介して、他の情報処理装置との通信を実行する機能を有する。通信Ｉ／Ｆ１０５は、各種データをプロセッサ１０１からの指示に従って、他の情報処理装置に送信する。また、通信Ｉ／Ｆ１０５は、他の情報処理装置から送信された各種データを受信し、プロセッサ１０１に伝達する。
【００２０】
入出力Ｉ／Ｆ１０４は、情報処理装置１００に対する各種操作を入力する入力装置、および、情報処理装置１００で処理された処理結果を出力する出力装置を含む。入出力Ｉ／Ｆ１０４は、入力装置と出力装置が一体化していてもよいし、入力装置と出力装置とに分離していてもよい。
【００２１】
入力装置は、ユーザからの入力を受け付けて、当該入力に係る情報をプロセッサ１０１に伝達できる全ての種類の装置のいずれか、または、その組み合わせにより実現される。入力装置は、限定でなく例として、タッチパネル、タッチディスプレイ、キーボード等のハードウェアキーや、マウス等のポインティングデバイス、カメラ（画像を介した操作入力）、マイク（音声による操作入力）を含む。ユーザ端末２０の場合、入力装置は、所定のコードを読み取るためのコードリーダを含む。
【００２２】
出力装置は、プロセッサ１０１で処理された処理結果を出力することができる全ての種類の装置のいずれか、または、その組み合わせにより実現される。当該処理結果を映像、および／または、動画像として出力する場合、出力装置は、フレームバッファに書き込まれた表示データに従って、当該表示データを表示することができる全ての種類の装置のいずれかまたはその組み合わせにより実現される。出力装置は、限定でなく例として、タッチパネル、タッチディスプレイ、モニタ（限定でなく例として、液晶ディスプレイ、ＯＥＬＤ（Organic Electroluminescence Display）など）、ヘッドマウントディスプレイ（ＨＤＭ：Head Mounted Display）、プロジェクションマッピング、ホログラム、空気中など（真空であってもよい）に画像やテキスト情報等を表示可能な装置、スピーカ（音声出力）、プリンターなどを含む。なお、これらの出力装置は、３Ｄで表示データを表示可能であってもよい。
【００２３】
本開示の各実施形態のプログラムは、コンピュータに読み取り可能な記憶媒体に記憶された状態で提供されてもよい。記憶媒体は、「一時的でない有形の媒体」に、プログラムを記憶可能である。プログラムは、限定でなく例として、ソフトウェアプログラムやコンピュータプログラムを含む。
【００２４】
記憶媒体は適切な場合、１つまたは複数の半導体ベースの、または他の集積回路（ＩＣ）（限定でなく例として、フィールド・プログラマブル・ゲート・アレイ（ＦＰＧＡ）、特定用途向けＩＣ（ＡＳＩＣ）など）、ハード・ディスク・ドライブ（ＨＤＤ）、ハイブリッド・ハード・ドライブ（ＨＨＤ）、光ディスク、光ディスクドライブ（ＯＤＤ）、光磁気ディスク、光磁気ドライブ、フロッピィ・ディスケット、フロッピィ・ディスク・ドライブ（ＦＤＤ）、磁気テープ、固体ドライブ（ＳＳＤ）、ＲＡＭドライブ、セキュア・デジタル・カードもしくはドライブ、任意の他の適切な記憶媒体、またはこれらの２つ以上の適切な組合せを含むことができる。記憶媒体は、適切な場合、揮発性、不揮発性、または揮発性と不揮発性の組合せでよい。
【００２５】
また、本開示のプログラムは、当該プログラムを伝送可能な任意の伝送媒体（ネットワークや放送波等）を介して、情報処理装置１００に提供されてもよい。
【００２６】
また、本開示の各実施形態は、プログラムが電子的な伝送によって具現化された、搬送波に埋め込まれたデータ信号の形態でも実現され得る。
【００２７】
なお、本開示のプログラムは、限定でなく例として、ＡｃｔｉｏｎＳｃｒｉｐｔ、ＪａｖａＳｃｒｉｐｔ（登録商標）などのスクリプト言語、Ｏｂｊｅｃｔｉｖｅ−Ｃ、Ｊａｖａ（登録商標）などのオブジェクト指向プログラミング言語、ＨＴＭＬ５などのマークアップ言語などを用いて実装される。
【００２８】
情報処理装置１００における処理の少なくとも一部は、１以上のコンピュータにより構成されるクラウドコンピューティングにより実現されていてもよい。
【００２９】
情報処理装置１００における処理の少なくとも一部を、他の情報処理装置により行う構成としてもよい。この場合、プロセッサ１０１により実現される各機能部の処理のうち少なくとも一部の処理を、他の情報処理装置で行う構成としてもよい。
【００３０】
（３）機能構成
（３−１）サーバ１０
図３は、第１実施形態に係るサーバ１０の機能構成の一例を示すブロック図である。図３に示すとおり、サーバ１０は、例えば、記憶部１１と、通信部１２と、イベントコード発行部１３と、画面表示データ生成部１４と、出席者リスト更新部１５と、引出物リコメンド生成部１６と、出品処理部１７と、配送処理部１８と、金額リコメンド部１９とを有する。これらは、情報処理装置１００が備えるプロセッサ１０１と、メモリ１０２と、ストレージ１０３と、入出力Ｉ／Ｆ１０４と、通信Ｉ／Ｆ１０５との協働により実現される機能部である。
【００３１】
記憶部１１は、所定のサービスを提供するためのプログラムと、イベント毎の出席者リストと、物品データベース（ＤＢ）とを記憶する。
【００３２】
図４は、出席者リストの一例を示す図である。出席者リストは、当該イベントの出席者に関する情報を管理するためのテーブルである。出席者リストの各行は、当該イベントについての個々の出席者を示している。出席者リストの各列は、各出席者に係る種々の属性情報を示しており、これらに限られるものではないが例えば、「出席者ＩＤ」、「氏名」、「住所」、「性別」、「年齢」、「関係」、「メールアドレス」、「メッセージ」、及び「金額情報」等を含む。
【００３３】
「出席者ＩＤ」は、出席者を識別するための識別情報（ＩＤ）である。「氏名」、「住所」、「性別」、及び「年齢」はそれぞれ、出席者の氏名、住所、性別、及び年齢を示す情報である。「関係」は、新郎や新婦との親族関係、友人関係、職場での関係を示す情報である。「メールアドレス」は、サーバ１０が提供する所定のサービスにおいて、出席者がサーバ１０や他のユーザ端末２０と情報を送受信するためのメールアドレスを示す情報である。「メッセージ」は、出席者が新郎新婦に向けて作成したお祝いのメッセージである。「金額情報」は、後述するように、出席者がご祝儀金額の入力画面において入力した、ご祝儀の金額を示す情報である。なお、出席者リストは、実際に出席したか否かを示す出席情報をさらに含んでもよい。
【００３４】
図５は、物品ＤＢの一例を示す図である。物品ＤＢは、物品情報を管理するためのデータベースである。ここで、物品情報に係る「物品」には、商品のみならず、サービスが含まれてもよい。図５に示すとおり、物品ＤＢは例えば、「物品ＩＤ」と、「物品情報」と、「価格」とを含んでもよい。「物品ＩＤ」は、物品を識別するための識別情報である。「物品情報」は、物品の名称、品番、型式や、物品の生産者、製造者、提供者等の当該物品を特定するための情報である。「価格」は、当該物品の価格を示す情報である。
【００３５】
通信部１２は、上述した図２の通信Ｉ／Ｆ１０５を含んで構成され、例えばユーザ端末２０との間で情報を送受信する。通信部１２は例えば、ユーザ端末２０から、イベントＩＤ、出席者ＩＤ、及び金額情報等のそれぞれの情報を同時又は異なるタイミングで受信する。ここで、金額情報は、ユーザが贈呈を希望するご祝儀の金額を示す情報である。また、通信部１２は例えば、ユーザ端末２０から、引出物リコメンドから選択された物品の出品指示を受信する。また、通信部１２は例えば、ユーザ端末２０に、各種画面に係る画面表示データ、及び引出物リコメンド等を送信する。
【００３６】
イベントコード発行部１３は、イベントコードを発行する。イベントコードは、イベントＩＤを所定の方式により符号化したものである。イベントコードを所定の読取手段を用いて読み取ることにより、イベントＩＤを取得することができる。イベントコードの態様は特に限定されないが、例えば、バーコード等の一次元コードや、ＱＲコード（登録商標）等の二次元コードであってよい。
【００３７】
画面表示データ生成部１４は、ユーザ端末２０等に所定の画面を表示させるための表示データを生成する。画面表示データ生成部１４は、例えば、ご祝儀金額入力画面を表示させるための表示データや、引出物選択画面を表示させるための表示データを生成する。
【００３８】
出席者リスト更新部１５は、ユーザ端末２０から出席者ＩＤ及び金額情報を受信すると、当該出席者ＩＤ及び金額情報に基づいて、出席者リストを更新する。また、出席者リスト更新部１５は、主催者等による操作に応じて、出席者リストを更新する。
【００３９】
引出物リコメンド生成部１６は、引出物リコメンドを生成する。ここで、引出物リコメンドは、出席者に対する引出物のリコメンドを示す情報であって、所定の基準に基づいて選択された少なくとも一の物品情報を含む。物品情報は、物品だけではなくサービスに関する情報を含んでもよい。引出物リコメンドに含まれる物品情報は、例えば、上述した記憶部１１に記憶された物品ＤＢに含まれる物品情報から選択されてもよい。上述した物品情報の選択における所定の基準は、例えば、上述した金額情報に基づくものであってもよく、当該金額情報の大きさに応じた価格の物品が選択されてもよい。
【００４０】
出品処理部１７は、ユーザ端末２０から所定の物品についての出品要求があった場合、当該物品の出品処理を実行する。例えば、出品処理部１７は、ユーザ端末２０に、出品情報を入力するための入力画面の表示データを送信してもよい。或いは、出品処理部１７は、電子商取引サービスの出品情報を管理するための所定の出品情報テーブルに、当該物品の出品情報を登録してもよい。
【００４１】
配送処理部１８は、ユーザ端末２０から所定の物品についての配送要求があった場合、当該物品の出品処理を実行する。例えば、配送処理部１８は、ユーザ端末２０に、配送条件を入力するための入力画面の表示データを送信してもよい。或いは、配送処理部１８は、サーバ１０の記憶部１１に記憶された出席者リストを参照して、当該出席者に係る住所に選択された物品を配送することを要求する要求信号を、他の配送システムに送信してもよい。また、配送処理部１８は、ユーザＩＤに対応付けられたアカウントの残高からＳ２０７で受信した金額情報を減算し、主催者のＩＤに対応付けられたアカウントの残高に加算する処理を実行してもよい。
【００４２】
（３−２）ユーザ端末２０
図６は、第１実施形態に係るユーザ端末２０の機能構成の一例を示すブロック図である。図６に示すとおり、ユーザ端末２０は、例えば、記憶部２１と、通信部２２と、読取部２３と、表示制御部２４と、入力受付部２５とを有する。これらは、情報処理装置１００が備えるプロセッサ１０１と、メモリ１０２と、ストレージ１０３と、入出力Ｉ／Ｆ１０４と、通信Ｉ／Ｆ１０５との協働により実現される機能部である。記憶部２１には、サーバ１０が提供する所定のサービスを利用するためのプログラム２１１が記憶されている。
【００４３】
通信部２２は、上述した図２の通信Ｉ／Ｆ１０５を含んで構成され、例えばサーバ１０との間で情報を送受信する。通信部２２は例えば、サーバ１０から、ご祝儀金額入力画面や引出物選択画面等の各種画面を表示させるための表示データを受信する。
【００４４】
読取部２３は、出席者の操作に応じて、イベントコード等の所定のコードを読み取り、当該コードに係るイベントＩＤ等を取得する。
【００４５】
表示制御部２４は、サーバ１０から受信した表示データ等に基づいて、各種画面を表示する。各種画面は、例えば、ご祝儀金額入力画面や引出物選択画面である。
【００４６】
入力受付部２５は、出席者等による所定の情報の入力を受け付ける。入力受付部２５は、例えば、出席者の操作に応じて、出席者の選択や、ご祝儀金額の入力を受け付ける。
【００４７】
（４）動作処理
図７を参照し、第１実施形態に係る情報処理システム１の動作処理について説明する。図７は、第１実施形態に係る情報処理システム１が行う動作処理手順のシーケンスの一例を示す。以下では、イベントの一例である結婚式に情報処理システム１を適用した場合の例について説明を行う。以下では、結婚式の主催者がサーバ１０を利用し、結婚式の出席者がユーザ端末２０を利用するものとする。
【００４８】
主催者は、予め出席者リストを作成し、サーバ１０の記憶部１１に格納しておくものとする。具体的には、主催者は、結婚式の開催に先立って送付した招待状を各出席者から返送してもらうなどして出席者リストの各項目に対応する情報を収集した上で、サーバ１０の操作部或いは他の情報処理装置２００の操作部を操作することにより、収集した情報を入力する。出席者リスト更新部１５は、入力された情報に基づいて、出席者リストを生成する。このとき、各出席者には出席者ＩＤが発行される。
【００４９】
（Ｓ２００）
まず、サーバ１０のイベントコード発行部１３は、主催者による操作に応じて、イベントコードを発行する。イベントコードは、イベント（本例の場合、結婚式）を識別するためのイベントＩＤを符号化したコードであって、例えば、バーコード等の一次元コードや、ＱＲコード（登録商標）等の二次元コードであってよい。イベントコードは、例えば、所定の用紙又はカード等に読取可能な態様で印刷されてもよく、また、表示装置に表示されてもよい。このように印刷された所定の用紙又はカード等、あるいは表示装置は、例えば、結婚式会場の受付場所等に設置されてもよい。
【００５０】
（Ｓ２０１）
次に、ユーザ端末２０の読取部２３は、出席者の操作に応じて、結婚式会場の受付場所等に設置されたイベントコードを読み取り、イベントＩＤを取得する。
【００５１】
（Ｓ２０２）
次に、ユーザ端末２０の通信部２２は、サーバ１０に、ご祝儀金額入力画面を表示させるための画面表示データを要求するための要求信号を送信する。当該要求信号には、Ｓ２０１で取得されたイベントＩＤが含まれる。
【００５２】
（Ｓ２０３）
次に、サーバ１０の画面表示データ生成部１４は、ユーザ端末２０から当該要求信号を受信すると、記憶部１１に記憶されたデータに基づいて、ご祝儀金額入力画面を表示させるための画面表示データを生成する。当該画面表示データには、Ｓ２０１で取得されたイベントＩＤに対応付けられた出席者リストのデータが含まれる。ここで、出席者リストのデータには、各出席者の出席者ＩＤが含まれる。
【００５３】
（Ｓ２０４）
次に、サーバ１０の通信部１２は、画面表示データ生成部１４がご祝儀金額入力画面を表示させるための画面表示データを生成すると、当該画面表示データをユーザ端末２０に送信する。
【００５４】
（Ｓ２０５）
次に、ユーザ端末２０の表示制御部２４は、サーバ１０から画面表示データを受信すると、当該画面表示データに基づいてユーザ端末２０にご祝儀金額入力画面３００Ａを表示させる。
【００５５】
図８は、ご祝儀金額入力画面３００Ａの一例を示す図である。図８に示すとおり、ご祝儀金額入力画面３００Ａは例えば、出席者リストの表示欄３０１と、ご祝儀金額の入力欄３０２とを含む。出席者リストの表示欄３０１には、例えば「お名前を選んでください」等の出席者の選択を促すテキストと、出席者リストとが表示される。出席者リストには、例えば出席者の名称が含まれる。ご祝儀金額の入力欄３０２には、例えば「ご祝儀金額を入力してください」等のご祝儀金額の入力を促すテキストと、後述するように出席者が入力したご祝儀の金額情報が表示される。
【００５６】
（Ｓ２０６）
図７に戻り、次に、ユーザ端末２０の入力受付部２５は、出席者の操作に応じて、出席者の選択及び金額の入力を受け付ける。具体的には、出席者が、ご祝儀金額入力画面３００Ａに含まれる出席者リストの表示欄３０１に表示された自身の名称を選択すると、入力受付部２５はこれを出席者の選択として受け付ける。また、出席者が、ご祝儀金額入力画面３００Ａに含まれるご祝儀金額の入力欄３０２において、希望するご祝儀の金額を入力すると、入力受付部２５はこれを受け付ける。
【００５７】
（Ｓ２０７）
次に、ユーザ端末２０の通信部２２は、Ｓ２０６において選択された出席者に対応する出席者ＩＤと、Ｓ２０６において入力された金額に基づいた金額情報を、サーバ１０に送信する。
【００５８】
（Ｓ２０８）
次に、サーバ１０の出席者リスト更新部１５は、ユーザ端末２０から出席者ＩＤ及び金額情報を受信すると、当該出席者ＩＤ及び金額情報に基づいて、出席者リストを更新する。具体的には、出席者リスト更新部１５は、受信した出席者ＩＤ及び金額情報を対応付けて出席者リストに記録する。また、出席者リスト更新部１５は、受信した出席者ＩＤに基づいて出席情報を更新してもよい。これにより、主催者側において、担当者が受け付け等で出席者をチェックする必要がなく、実際にイベントに出席した出席者リストを容易に作成することができる。
【００５９】
（Ｓ２０９）
次に、サーバ１０の引出物リコメンド生成部１６は、出席者リストに含まれる金額情報に基づいて少なくとも一の物品情報を選択することにより、選択された物品情報で構成された引出物リコメンドを生成する。引出物リコメンド生成部１６は、出席者リストに含まれる金額情報の大きさに応じた金額の物品情報を引出物リコメンドに含めるようにしてもよい。なお、引出物リコメンド生成部１６は、金額情報の他に、出席者の属性情報や、所定の電子商取引サービスにおける出品履歴及び購入履歴等に基づいて、引出物リコメンドを生成してもよい。
【００６０】
（Ｓ２１０）
次に、サーバ１０の画面表示データ生成部１４は、引出物選択画面を表示させるための画面表示データを生成する。
【００６１】
（Ｓ２１１）
次に、サーバ１０の通信部１２は、画面表示データ生成部１４が引出物選択画面を表示させるための画面表示データを生成すると、当該画面表示データをユーザ端末２０に送信する。
【００６２】
（Ｓ２１２）
次に、ユーザ端末２０の表示制御部２４は、サーバ１０から引出物選択画面表示データを受信すると、ユーザ端末２０に引出物選択画面３００Ｂを表示させる。
【００６３】
図９は、引出物選択画面３００Ｂの一例を示す図である。図９に示すとおり、引出物選択画面３００Ｂは例えば、引出物リコメンドの表示欄３０３と、受取の選択欄３０４とを含む。引出物リコメンドの表示欄３０３には、例えば「引出物を選んでください」等の引出物の選択を促すテキストと、引出物リコメンドに含まれる物品情報とが表示される。受取又の選択欄３０４には、例えば「受取を選択してください」等の受取の選択を促すテキストと、例えば「受け取る」等の受取を示すテキストが表示された受取選択部が表示される。なお、受取の選択欄３０４には、さらに「出品する」等の出品を示すテキストが表示された出品選択部が表示されてもよい。この場合、上述の受取の選択を促すテキストには、例えば「受取又は出品を選択してください」等のテキストが表示されることが好ましい。
【００６４】
（Ｓ２１３）
図７に戻り、次に、ユーザ端末２０の入力受付部２５は、出席者の操作に応じて、引出物の選択を受け付ける。具体的には、出席者が、引出物選択画面３００Ｂに含まれる引出物リコメンドの表示欄３０３に表示された少なくとも一の物品情報を選択すると、入力受付部２５はこれを受け付ける。更に、出席者が、引出物選択画面３００Ｂに含まれる受取の選択欄３０４において、受取の選択部を選択すると、入力受付部２５はこれを受け付ける。例えば出席者は、選択した物品情報に係る物品を自身等が受け取ることを希望する場合には受取選択部を選択することができる。なお、受取の選択欄３０４が出品選択部を含む場合には、出席者は選択した物品を所定の電子商取引サービスにおいて出品することを希望する場合は出品選択部を選択することができる。
【００６５】
（Ｓ２１４）
次に、ユーザ端末２０の通信部２２は、Ｓ２１３で出席者が選択した情報である選択情報を、サーバ１０に送信する。当該選択情報は、出席者が選択した少なくとも一の物品情報を含む。また、当該選択情報は、受取選択部が選択された場合は当該物品の配送要求を含み、受取の選択欄３０４が出品選択部を含む場合において出品選択部が選択された場合は当該物品の出品要求を含む。
【００６６】
（Ｓ２１５）
次に、サーバ１０の配送処理部１８は、受信した選択情報に配送要求が含まれる場合には、選択情報に含まれる物品情報に係る物品を配送するための処理を実行する。例えば、配送処理部１８は、ユーザ端末２０に、配送条件を入力するための入力画面の表示データを送信してもよい。或いは、配送処理部１８は、サーバ１０の記憶部１１に記憶された出席者リストを参照して、当該出席者に係る住所に選択された物品を配送することを要求する要求信号を、他の配送システムに送信してもよい。また、配送処理部１８は、ユーザＩＤに対応付けられたアカウントの残高からＳ２０７で受信した金額情報を減算し、主催者のＩＤに対応付けられたアカウントの残高に加算する処理を実行してもよい。
【００６７】
なお、受信した選択情報に出品要求が含まれる場合には、サーバ１０の出品処理部１７は、選択情報に含まれる物品情報に係る物品を所定の電子商取引サービスに出品するための処理を実行する。例えば、出品処理部１７は、ユーザ端末２０に、出品情報を入力するための入力画面の表示データを送信してもよい。或いは、出品処理部１７は、電子商取引サービスの出品情報を管理するための所定の出品情報テーブルに、当該物品の出品情報を登録してもよい。以上で、情報処理システム１が行う動作処理が終了する。
【００６８】
［第２実施形態］
本発明の第２実施形態に係る情報処理システム２について説明する。以下では、当該第２実施形態のうち、上述した第１実施形態と異なる事項について説明し、両者に共通する事項については適宜説明を省略する。
【００６９】
（１）システム構成
図１０は、第２実施形態に係る情報処理システム２の構成の一例を示す図である。図１０に示すとおり、第２実施形態の情報処理システム２は、サーバ１０と、複数のユーザ端末２０と、読取端末３０とを含む。読取端末３０は、ネットワークＮを介して通信プロトコルにＴＣＰ／ＩＰ等を用いて、サーバ１０及び複数のユーザ端末２０と相互にデータの送受信が可能になっている。
【００７０】
上述した第１実施形態においては、サーバ１０がイベントに固有の所定のイベントコードを発行するものとした。しかしながら、第２実施形態においては、各出席者が利用するユーザ端末２０が、各出席者に固有の所定の出席者コードを発行する。そして、例えば主催者は、読取端末３０を用いて各出席者コードを読み取り、当該読取により取得した情報をサーバ１０に送信する。
【００７１】
（２）機能構成
（２−１）ユーザ端末２０
図１１を用いて第２実施形態に係るユーザ端末２０の機能構成を説明する。図１１に開示の機能部は、情報処理装置２００が備えるプロセッサ２０１と、メモリ２０２と、ストレージ２０３と、入出力Ｉ／Ｆ２０４と、通信Ｉ／Ｆ２０５との協働により実現される。ユーザ端末２０の機能構成において、特に言及しない点は第１実施形態と同一でよい。
【００７２】
第２実施形態に係るユーザ端末２０は、記憶部２１と、通信部２２と、表示制御部２４と、入力受付部２５と、出席者コード発行部２６とを備える。出席者コード発行部２６は、出席者コードを発行する。出席者コードは、出席者ＩＤを所定の方式により符号化したものである。出席者コードを所定の読取手段を用いて読み取ることにより、出席者ＩＤを取得することができる。出席者コードの態様は特に限定されないが、例えば、バーコード等の一次元コードや、ＱＲコード（登録商標）等の二次元コードであってよい。なお、第２実施形態に係るユーザ端末２０は、読取部２３を備えなくてもよい。また、第２実施形態に係るサーバ１０は、イベントコード発行部１３を備えなくてもよい。
【００７３】
（３）動作処理
図１２を参照し、第２実施形態に係る情報処理システム１の動作処理について説明する。図１２は、第２実施形態に係る情報処理システム１が行う動作処理手順のシーケンスの一例を示す。
【００７４】
（Ｓ４００）
まず、ユーザ端末２０の出席者コード発行部２６は、出席者による操作に応じて、出席者コードを発行する。出席者コードには、イベントＩＤ及び出席者ＩＤを符号化したコードであって、例えば、バーコード等の一次元コードや、ＱＲコード（登録商標）等の二次元コードであってよい。出席者コードは、例えば、ユーザ端末２０に表示されてもよい。
【００７５】
（Ｓ４０１）
次に、読取端末３０は、結婚式会場の受付場所等において主催者等の操作に応じて、ユーザ端末２０に表示された出席者コードを読み取り、イベントＩＤ及び出席者ＩＤを取得する。
【００７６】
（Ｓ４０２）
次に、読取端末３０は、サーバ１０に、ご祝儀金額入力画面を表示させるための画面表示データを、出席者ＩＤに係るユーザ端末２０に送信することを要求するための要求信号を送信する。当該要求信号には、Ｓ２０１で取得されたイベントＩＤ及び出席者ＩＤが含まれる。
【００７７】
（Ｓ４０３）
次に、サーバ１０の画面表示データ生成部１４は、読取端末３０から当該要求信号を受信すると、記憶部１１に記憶されたデータに基づいて、ご祝儀金額入力画面を表示させるための画面表示データを生成する。当該画面表示データには、Ｓ４０１で取得されたイベントＩＤに対応付けられた出席者リストのデータが含まれる。ここで、出席者リストのデータには、各出席者の出席者ＩＤが含まれる。
【００７８】
（Ｓ４０４）
次に、サーバ１０の通信部１２は、画面表示データ生成部１４がご祝儀金額入力画面を表示させるための画面表示データを生成すると、当該画面表示データを、Ｓ４０２で取得した要求信号に含まれる出席者ＩＤに係るユーザ端末２０に送信する。
【００７９】
（Ｓ４０５）
次に、ユーザ端末２０の表示制御部２４は、サーバ１０から画面表示データを受信すると、当該画面表示データに基づいてユーザ端末２０に、例えば図７に示すご祝儀金額入力画面３００Ａを表示させる。
【００８０】
（Ｓ４０６）
次に、ユーザ端末２０の入力受付部２５は、出席者の操作に応じて、出席者の選択及び金額の入力を受け付ける。具体的には、出席者が、ご祝儀金額入力画面３００Ａに含まれる出席者リストの表示欄３０１に表示された自身の名称を選択すると、入力受付部２５はこれを出席者の選択として受け付ける。また、出席者が、ご祝儀金額入力画面３００Ａに含まれるご祝儀金額の入力欄３０２において、希望するご祝儀の金額を入力すると、入力受付部２５はこれを受け付ける。
【００８１】
（Ｓ４０７）
次に、ユーザ端末２０の通信部２２は、Ｓ２０６において選択された出席者に対応する出席者識別情報と、Ｓ２０６において入力された金額に基づいた金額情報を、サーバ１０に送信する。
【００８２】
（Ｓ４０８）
次に、サーバ１０の出席者リスト更新部１５は、ユーザ端末２０から出席者識別情報及び金額情報を受信すると、当該出席者識別情報及び金額情報に基づいて、出席者リストを更新する。具体的には、出席者リスト更新部１５は、出席者リストにおいて、受信した出席者識別情報に対応する金額情報を、受信した金額情報に更新する。
【００８３】
（Ｓ４０９）
次に、サーバ１０の引出物リコメンド生成部１６は、出席者リストに含まれる金額情報に基づいて引出物リコメンドを生成する。引出物リコメンドは、少なくとも一の物品の情報を含む。引出物リコメンド生成部１６は、出席者リストに含まれる金額情報の大きさに応じた金額の物品を引出物リコメンドに含めるようにしてもよい。なお、引出物リコメンド生成部１６は、金額情報の他に、出席者の属性情報や、所定の電子商取引サービスにおける出品履歴及び購入履歴等に基づいて、引出物リコメンドを生成してもよい。
【００８４】
（Ｓ４１０）
次に、サーバ１０の画面表示データ生成部１４は、引出物選択画面を表示させるための画面表示データを生成する。
【００８５】
（Ｓ４１１）
次に、サーバ１０の通信部１２は、画面表示データ生成部１４が引出物選択画面を表示させるための画面表示データを生成すると、当該画面表示データをユーザ端末２０に送信する。
【００８６】
（Ｓ４１２）
次に、ユーザ端末２０の表示制御部２４は、サーバ１０から引出物選択画面表示データを受信すると、ユーザ端末２０に、例えば図８に示す引出物選択画面３００Ｂを表示させる。
【００８７】
（Ｓ４１３）
次に、ユーザ端末２０の入力受付部２５は、出席者の操作に応じて、引出物の選択を受け付ける。具体的には、出席者が、引出物選択画面３００Ｂに含まれる引出物リコメンドの表示欄３０３に表示された少なくとも一の物品を選択すると、入力受付部２５はこれを受け付ける。更に、出席者が、引出物選択画面３００Ｂに含まれる受取又は出品の選択欄３０４において、受取の選択部又は出品の選択部のいずれかを選択すると、入力受付部２５はこれを受け付ける。例えば出席者は、選択した物品を自身等が受け取ることを希望する場合には受取選択部を選択することができ、選択した物品を所定の電子商取引サービスにおいて出品することを希望する場合は出品選択部を選択することができる。
【００８８】
（Ｓ４１４）
次に、ユーザ端末２０の通信部２２は、Ｓ２１３で出席者が選択した情報である選択情報を、サーバ１０に送信する。当該選択情報は、出席者が選択した少なくとも一の物品の情報と、受取選択部や出品選択部が選択されたかを示す情報とを含む。
【００８９】
（Ｓ４１５）
次に、サーバ１０の配送処理部１８は、受信した選択情報に配送要求が含まれる場合には、選択情報に含まれる物品情報に係る物品を配送するための処理を実行する。例えば、配送処理部１８は、ユーザ端末２０に、配送条件を入力するための入力画面の表示データを送信してもよい。或いは、配送処理部１８は、サーバ１０の記憶部１１に記憶された出席者リストを参照して、当該出席者に係る住所に選択された物品を配送することを要求する要求信号を、他の配送システムに送信してもよい。また、配送処理部１８は、ユーザＩＤに対応付けられたアカウントの残高からＳ２０７で受信した金額情報を減算し、主催者のＩＤに対応付けられたアカウントの残高に加算する処理を実行してもよい。
【００９０】
なお、受信した選択情報に出品選択部が選択されたことを示す情報が含まれる場合には、サーバ１０の出品処理部１７は、選択情報に含まれる物品を所定の電子商取引サービスに出品するための処理を実行する。例えば、出品処理部１７は、ユーザ端末２０に、出品情報を入力するための入力画面の表示データを送信してもよい。或いは、出品処理部１７は、電子商取引サービスの出品情報を管理するための所定の出品情報テーブルに、当該物品の出品情報を登録してもよい。
以上で、情報処理システム１が行う動作処理が終了する。
【００９１】
［第２実施形態の変形例］
図１３は、第２実施形態の変形例に係る情報処理システム１が行う動作処理手順のシーケンスの一例を示す。第２実施形態の変形例に係る情報処理システム１においては、ユーザ端末２０が、ユーザＩＤ、イベントＩＤに対応、及び金額情報を含んだユーザコードを発行する（Ｓ５００）。金額情報は、例えば上述したステップＳ４０５のような処理において、ユーザから入力される。そして、読取端末３０が、当該ユーザコードを読み取ることにより、ユーザＩＤ、イベントＩＤ、及び金額情報を取得し（Ｓ５０１）、これらをサーバ１０に送信する（Ｓ５０２）。以降、Ｓ５０３〜Ｓ５１０は、上述したＳ４０８〜Ｓ４１５と同様であるため、説明を省略する。
【００９２】
［その他］
上述した実施形態においては、ご祝儀金額入力画面３００Ａには、出席者リストが表示されるものとした。しかしながら、ご祝儀金額入力画面３００Ａは、出席者が名前を直接入力するための入力部を表示してもよい。ユーザ端末２０の入力受付部２５は、当該入力部に入力された出席者の名前を、出席者を識別するための識別情報として、サーバ１０に送信してもよい。サーバ１０の出席者リスト更新部１５は、ユーザ端末２０から出席者の名前を示す当該情報に基づいて、出席者リストを更新してもよい。
【００９３】
サーバ１０は、出席者リストに含まれる出席者の情報に基づいて、ご祝儀金額のリコメンドである金額リコメンド情報を生成し、これをユーザ端末２０に送信してもよい。これにより、各出席者のご祝儀の金額を検討する負担を低減することができる。また、これにより、主催者は、各出席者から受領するご祝儀の金額をある程度調整することができる。このとき、サーバ１０は、例えば出席者リストに含まれる性別、年齢、及び関係等の属性情報に基づいて、金額リコメンド情報を生成してもよい。これにより、主催者は、リコメンドするご祝儀の金額を、各出席者の属性情報に見合った適度な負担額とすることができる。
【００９４】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００９５】
１、２…情報処理システム、１０…サーバ、１１…記憶部、１２…通信部、１３…イベントコード発行部、１４…画面表示データ生成部、１５…出席者リスト更新部、１６…引出物リコメンド生成部、１７…出品処理部、１８…配送処理部、２０…ユーザ端末、２１…記憶部、２２…通信部、２３…読取部、２４…表示制御部、２５…入力受付部、１００…情報処理装置、１０１…プロセッサ、１０２…メモリ、１０３…ストレージ、１０４…入出力Ｉ／Ｆ、１０５…通信Ｉ／Ｆ
【図１】
2020113173.tif 000003
【図２】
2020113173.tif 000004
【図３】
2020113173.tif 000005
【図４】
2020113173.tif 000006
【図５】
2020113173.tif 000007
【図６】
2020113173.tif 000008
【図７】
2020113173.tif 000009
【図８】
2020113173.tif 000010
【図９】
2020113173.tif 000011
【図１０】
2020113173.tif 000012
【図１１】
2020113173.tif 000013
【図１２】
2020113173.tif 000014
【図１３】
2020113173.tif 000015